(57)【要約】【課題】透過させて重畳表示している複数の画像に対する空間的又は時間的な調整を容易にする。【解決手段】端末装置１において、複数の画像を識別可能に透過させて表示手段に重畳表示する制御を行う表示制御手段（表示制御部１０７ｃ）と、前記複数の画像のうちの一部の画像を指定する指定手段（指定部１０７ａ）と、前記複数の画像に対するユーザ操作を検出する検出手段（検出部１０７ｂ）と、を備え、前記表示制御手段は、前記複数の画像を重畳表示した状態を維持しながら、前記指定手段により指定された画像を、前記検出手段により検出された前記ユーザ操作に応じて、空間的又は時間的に変化させる制御を行う。【選択図】図１
2018018004.tif 000002
【特許請求の範囲】
【請求項１】
複数の画像を識別可能に透過させて表示手段に重畳表示する制御を行う表示制御手段と、
前記複数の画像のうちの一部の画像を指定する指定手段と、
前記複数の画像に対するユーザ操作を検出する検出手段と、
を備え、
前記表示制御手段は、前記複数の画像を重畳表示した状態を維持しながら、前記指定手段により指定された画像を、前記検出手段により検出された前記ユーザ操作に応じて、空間的又は時間的に変化させる制御を行うことを特徴とする表示装置。
【請求項２】
前記表示制御手段は、前記空間的に変化させる制御として、前記指定手段により指定された画像の空間的な大きさ又は空間的な位置を変化させる制御を行うことを特徴とする請求項１に記載の表示装置。
【請求項３】
前記表示制御手段は、前記複数の画像の各々が動画像である場合に、前記時間的に変化させる制御として、当該動画像のフレームレート又は当該動画像内における時間的な位置を変化させる制御を行うことを特徴とする請求項１又は２に記載の表示装置。
【請求項４】
前記表示制御手段は、前記複数の画像を重畳表示する重畳表示領域とは異なる複数の個別表示領域の各々に、当該複数の画像の各々を個別に表示する制御を、更に行い、
前記指定手段は、前記個別表示領域に対するユーザ操作に応じて、前記複数の画像のうちの一部の画像を指定することを特徴とする請求項１〜３の何れか一項に記載の表示装置。
【請求項５】
前記表示制御手段は、
前記重畳表示領域に、前記複数の画像として、複数の動画像を識別可能に透過して重畳表示するとともに、
前記複数の個別表示領域の各々に、前記複数の動画像の各々を個別に表示する制御を行い、
前記検出手段により検出された前記重畳表示領域に対するユーザ操作に応じて、前記複数の動画像を重畳表示した状態を維持しながら、前記指定手段により指定された動画像を空間的に変化させる制御を行い、
更に、前記検出手段により検出された前記個別表示領域に対するユーザ操作に応じて、前記複数の動画像を重畳表示した状態を維持しながら、前記指定手段により指定された動画像を時間的に変化させる制御を行うことを特徴とする請求項４に記載の表示装置。
【請求項６】
前記表示制御手段は、前記検出手段により検出された前記重畳表示領域に対するユーザ操作であって、前記動画像を空間的に変化させるためのユーザ操作とは異なるユーザ操作に応じて、前記複数の動画像を重畳表示した状態を維持しながら、当該複数の動画像を同時に時間的に変化させる制御を行うことを特徴とする請求項５に記載の表示装置。
【請求項７】
前記表示制御手段は、
前記重畳表示領域に、前記複数の動画像の各々を構成する互いのフレーム画像を１フレームずつ重畳表示するとともに、
前記複数の個別表示領域の各々に、前記複数の動画像の各々を構成する互いのフレーム画像を、連続する複数フレームずつ並べて表示する制御を行うことを特徴とする請求項５又は６に記載の表示装置。
【請求項８】
前記表示制御手段は、前記個別表示領域に対するユーザ操作であって、前記指定手段により前記複数の画像のうちの一部の画像を指定するためのユーザ操作とは異なるユーザ操作に応じて、前記重畳表示領域に重畳表示されている前記複数の画像の透過率を変化させる制御を行うことを特徴とする請求項４〜７の何れか一項に記載の表示装置。
【請求項９】
前記表示制御手段は、前記指定手段により前記複数の画像のうちの一部の画像が指定された場合、当該画像を強調するようにして前記複数の画像を重畳表示する制御を行うことを特徴とする請求項１〜８の何れか一項に記載の表示装置。
【請求項１０】
複数の画像を識別可能に透過させて表示手段に重畳表示する制御を行う処理と、
前記複数の画像のうちの一部の画像を指定する処理と、
前記複数の画像に対するユーザ操作を検出する処理と、
を含み、
前記複数の画像を重畳表示する制御を行う処理において、当該複数の画像を重畳表示した状態を維持しながら、指定された画像を、検出された前記ユーザ操作に応じて、空間的又は時間的に変化させる制御を行うことを特徴とする表示制御方法。
【請求項１１】
コンピュータに、
複数の画像を識別可能に透過させて表示手段に重畳表示する制御を行う表示制御機能、
前記複数の画像のうちの一部の画像を指定する指定機能、
前記複数の画像に対するユーザ操作を検出する検出機能、
を実現させ、
前記表示制御機能は、前記複数の画像を重畳表示した状態を維持しながら、前記指定機能により指定された画像を、前記検出機能により検出された前記ユーザ操作に応じて、空間的又は時間的に変化させる制御を行うことを特徴とするプログラム。
【発明の詳細な説明】
【技術分野】
【０００１】
本発明は、表示装置、表示制御方法及びプログラムに関する。
【背景技術】
【０００２】
従来、運動時の自分のフォームと理想のフォーム（例えば、プロ選手のフォームや調子の良かったときの自分自身のフォーム等）とを比較するために、当該運動時の自分のフォームを撮影した画像と理想のフォームの画像とを透過させて重畳表示する画像表示装置が知られている（例えば、特許文献１参照）。
【先行技術文献】
【特許文献】
【０００３】
【特許文献１】特開２０１５−５３０４０号公報
【発明の概要】
【発明が解決しようとする課題】
【０００４】
しかしながら、上記特許文献１に開示されている装置では、運動時の自分のフォームの画像と理想のフォームの画像とを重畳表示させる際に互いの画像の大きさや位置を調整する場合、一旦重畳表示を解除する必要があり手間がかかるという問題がある。特に、これらの画像が動画像である場合には、各フレーム画像間における時間的な調整も必要となるため、上記問題が顕著になる。
【０００５】
本発明は、このような問題に鑑みてなされたものであり、透過させて重畳表示している複数の画像に対する空間的又は時間的な調整を容易にすることを目的とする。
【課題を解決するための手段】
【０００６】
上記課題を解決するため、本発明に係る表示装置は、
複数の画像を識別可能に透過させて表示手段に重畳表示する制御を行う表示制御手段と、
前記複数の画像のうちの一部の画像を指定する指定手段と、
前記複数の画像に対するユーザ操作を検出する検出手段と、
を備え、
前記表示制御手段は、前記複数の画像を重畳表示した状態を維持しながら、前記指定手段により指定された画像を、前記検出手段により検出された前記ユーザ操作に応じて、空間的又は時間的に変化させる制御を行うことを特徴とする。
【発明の効果】
【０００７】
本発明によれば、透過させて重畳表示している複数の画像に対する空間的又は時間的な調整を容易にすることができる。
【図面の簡単な説明】
【０００８】
【図１】本発明を適用した一実施形態の表示装置である端末装置の概略構成を示すブロック図である。
【図２】（ａ）は、動画像Ａと動画像Ｂとが重畳表示（再生表示）されている状態の一例を示す図であり、（ｂ）は、動画像Ａと動画像Ｂのうち動画像Ａが指定されている状態の一例を示す図であり、（ｃ）は、動画像Ａと動画像Ｂのうち動画像Ｂが指定されている状態の一例を示す図である。
【図３】図１の端末装置による表示制御処理の一例を示すフローチャートである。
【図４】図１の端末装置による動画像表示制御処理の一例を示すフローチャートである。
【図５】（ａ）は、静止画像ａと静止画像ｂの両方が指定されている状態の一例を示す図であり、（ｂ）は、静止画像ａと静止画像ｂのうち静止画像ａが指定されている状態の一例を示す図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１の表示装置である端末装置１の概略構成を示すブロック図である。
本実施形態の端末装置１は、例えば、タブレットやスマートフォンなどのタッチパネルを具備するコンピュータにより構成され、中央制御部１０１と、メモリ１０２と、記憶部１０３と、表示部１０４と、操作入力部１０５と、通信制御部１０６と、動作処理部１０７とを備えている。
また、中央制御部１０１、メモリ１０２、記憶部１０３、表示部１０４、操作入力部１０５、通信制御部１０６及び動作処理部１０７は、バスライン１０８を介して接続されている。
【００１１】
中央制御部１０１は、端末装置１の各部を制御するものである。具体的には、中央制御部１０１は、図示は省略するが、ＣＰＵ（Central Processing Unit）等を備え、端末装置１用の各種処理プログラム（図示略）に従って各種の制御動作を行う。
【００１２】
メモリ１０２は、例えば、ＤＲＡＭ（Dynamic Random Access Memory）等により構成され、中央制御部１０１、動作処理部１０７等によって処理されるデータ等を一時的に格納する。
【００１３】
記憶部１０３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。なお、記憶部１０３に記録されている画像データは、当該端末装置１の撮像部（図示省略）により撮像され記録されたものであっても良いし、外部の撮像装置（図示省略）により撮像された後、当該端末装置１に転送されて記憶部１０３に記録されたものであっても良い。
また、記憶部１０３は、例えば、記録媒体（図示省略）が着脱自在に構成され、装着された記録媒体からのデータの読み出しや記録媒体に対するデータの書き込みを制御する構成であっても良い。
【００１４】
表示部１０４は、表示パネル（表示手段）１０４ａの表示領域に画像等を表示する。
すなわち、表示部１０４は、図示しない画像処理部により復号された所定サイズの画像データに基づいて、所定の画像を表示パネル１０４ａの表示領域に表示する。
また、表示部１０４は、後述するように、動作処理部１０７の表示制御部１０７ｃの制御下にて、図２（ａ）に示すように、ユーザが所望する、すなわちユーザが比較したい複数（例えば、２つ）の動画像を識別可能に透過させて表示パネル１０４ａの重畳表示領域Ｒ１に重畳表示するとともに、一方の動画像（以下、動画像Ａという）を表示パネル１０４ａ上部の個別表示領域Ｒ２ａに、そして、他方の動画像（以下、動画像Ｂという）を表示パネル１０４ａ下部の個別表示領域Ｒ２ｂに、各動画像を構成するフレーム画像（サムネイル化されたフレーム画像）を連続する複数フレームずつ表示する。ここで、個別表示領域Ｒ２ａ，Ｒ２ｂに表示されるフレーム画像のフレーム数は、単位時間当たりのフレーム数、すなわち動画像の再生速度を表している。
【００１５】
なお、表示パネル１０４ａは、例えば、液晶表示パネルや有機ＥＬ（Electro-Luminescence）表示パネル等から構成されているが、一例であってこれらに限られるものではない。
【００１６】
操作入力部１０５は、当該端末装置１の所定操作を行うためのものである。具体的には、操作入力部１０５は、電源のＯＮ／ＯＦＦ操作に係る電源ボタン、各種のモードや機能等の選択指示に係るボタン等（何れも図示略）を備えている。
そして、ユーザにより各種ボタンが操作されると、操作入力部１０５は、操作されたボタンに応じた操作指示を中央制御部１０１に出力する。中央制御部１０１は、操作入力部１０５から出力され入力された操作指示に従って所定の動作（例えば、動画像の再生等）を各部に実行させる。
【００１７】
また、操作入力部１０５は、表示部１０４の表示パネル１０４ａと一体となって設けられたタッチパネル１０５ａを有している。
タッチパネル１０５ａは、表示パネル１０４ａの表示領域をなす表示画面に直接的若しくは間接的に接触するユーザの指（手）やタッチペン等の接触位置を検出する。すなわち、タッチパネル１０５ａは、例えば、表示パネル１０４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル１０５ａは、接触位置のＸＹ座標に係る位置信号を動作処理部１０７に出力する。
【００１８】
通信制御部１０６は、通信アンテナ１０６ａ及び通信ネットワークを介してデータの送受信を行う。
すなわち、通信アンテナ１０６ａは、当該端末装置１が無線基地局（図示略）との通信で採用している所定の通信方式（例えば、Ｗ−ＣＤＭＡ（Wideband Code Division Multiple Access）方式、ＣＤＭＡ２０００方式、ＧＳＭ（Global System for Mobile Communications；登録商標）方式等）に対応したデータの送受信が可能なアンテナである。そして、通信制御部１０６は、所定の通信方式に対応する通信プロトコルに従って、この通信方式で設定される通信チャネルにより無線基地局との間で通信アンテナ１０６ａを介してデータの送受信を行う。
通信ネットワークは、例えば、端末装置１を無線基地局やゲートウェイサーバ（図示略）等を介して外部装置と接続する通信ネットワークである。また、通信ネットワークは、専用線や既存の一般公衆回線を利用して構築された通信ネットワークであり、ＷＡＮ（Wide Area Network）やＬＡＮ（Local Area Network）等の様々な回線形態を適用することが可能である。
【００１９】
なお、上記した通信制御部１０６の構成は、一例であってこれに限られるものではなく、適宜任意に変更可能であり、例えば、図示は省略するが、無線ＬＡＮモジュールやBluetooth（登録商標）モジュールを搭載しても良い。
すなわち、無線ＬＡＮモジュールは、アクセスポイント（図示略）を介して通信ネットワークにアクセス可能な構成としても良いし、アクセスポイントを経由せずに直接外部装置との間で無線通信回線を構築するPeer to Peer（アドホックモード）で動作しても良い。また、Bluetoothモジュールは、Bluetoothの通信規格に基づいて、外部装置との間で同期通信方式の無線通信を行っても良い。
【００２０】
動作処理部１０７は、指定部１０７ａと、検出部１０７ｂと、表示制御部１０７ｃとを具備している。
なお、動作処理部１０７の各部は、例えば、所定のロジック回路から構成されているが、当該構成は一例であってこれに限られるものではない。
【００２１】
指定部１０７ａは、表示パネル１０４ａの重畳表示領域Ｒ１に重畳表示されている複数の画像のうちの少なくとも何れか一の画像を指定する。
すなわち、指定部（指定手段）１０７ａは、表示パネル１０４ａの個別表示領域Ｒ２ａ，Ｒ２ｂに対するユーザ操作に応じて、表示パネル１０４ａの重畳表示領域Ｒ１に重畳表示されている複数の画像（動画像Ａ、動画像Ｂ）のうちの少なくとも何れか一の画像を指定する。
具体的には、指定部１０７ａは、例えば、ユーザによるタッチパネル１０５ａの個別表示領域Ｒ２ａに対応する領域へのタップ操作に基づいて動画像Ａを指定する。指定部１０７ａにより動画像Ａが指定されると、図２（ｂ）に示すように、表示制御部１０７ｃの制御下にて、個別表示領域Ｒ２ａの枠部分が太枠表示されるとともに、重畳表示領域Ｒ１に表示されている動画像Ａの被写体Ｐ１が輪郭強調表示されるようになっている。また、指定部１０７ａは、ユーザによるタッチパネル１０５ａの個別表示領域Ｒ２ｂに対応する領域へのタップ操作に基づいて動画像Ｂを指定する。指定部１０７ａにより動画像Ｂが指定されると、図２（ｃ）に示すように、表示制御部１０７ｃの制御下にて、個別表示領域Ｒ２ｂの枠部分が太枠表示されるとともに、重畳表示領域Ｒ１に表示されている動画像Ｂの被写体Ｐ２が輪郭強調表示されるようになっている。更に、指定部１０７ａは、ユーザによるタッチパネル１０５ａの個別表示領域Ｒ２ａに対応する領域へのタップ操作がなされるとともに、個別表示領域Ｒ２ｂに対応する領域へもタップ操作がなされた場合、動画像Ａと動画像Ｂの両方を指定する。かかる場合、図示は省略するが、表示制御部１０７ｃの制御下にて、個別表示領域Ｒ２ａの枠部分と個別表示領域Ｒ２ｂの枠部分とがそれぞれ太枠表示されることとなる。なお、かかる場合は、重畳表示領域Ｒ１に表示されている動画像Ａの被写体Ｐ１も動画像Ｂの被写体Ｐ２も輪郭強調表示されないようになっている。
【００２２】
また、指定部１０７ａは、上述の太枠表示がなされている個別表示領域（例えば、個別表示領域Ｒ２ａ）に対応するタッチパネル１０５ａの領域へタップ操作がなされた場合、すなわち再タップ操作（トグル操作）がなされた場合、動画像（例えば、動画像Ａ）の指定を解除する。指定部１０７ａにより動画像の指定が解除されると、表示制御部１０７ｃの制御下にて、対応する個別表示領域の太枠表示が解除されて通常の枠表示がなされる。
【００２３】
また、指定部１０７ａは、何れかの動画像（例えば、動画像Ａ）が指定されている状態において、所定時間（例えば、２秒間）、タッチパネル１０５ａへの無操作状態が継続した場合、何れの動画像も指定されていない状態（通常状態）に遷移する。かかる場合、図２（ａ）に示すように、表示制御部１０７ｃの制御下にて、何れの個別表示領域Ｒ２ａ，Ｒ２ｂも通常の枠表示がなされる。
【００２４】
検出部１０７ｂは、複数の画像（動画像Ａ、動画像Ｂ）に対するユーザ操作を検出する。
すなわち、検出部（検出手段）１０７ｂは、表示パネル１０４ａの重畳表示領域Ｒ１に重畳表示された複数の画像（動画像Ａ、動画像Ｂ）や、個別表示領域Ｒ２ａ，Ｒ２ｂの各々に個別に表示された動画像Ａと動画像Ｂに対するユーザ操作を検出する。
具体的には、検出部１０７ｂは、ユーザ操作として、ピンチ操作、スワイプ操作、長押し操作等を検出する。ピンチ操作とは、２本の指（例えば、親指と人差し指）でつまむ操作を意味する。ピンチ操作には、タッチパネル１０５ａを２本の指で押したまま、その間を広げて拡大するピンチアウト操作と、タッチパネル１０５ａを２本の指で押したまま、その間を縮めて縮小するピンチイン操作とがある。スワイプ操作とは、タッチパネル１０５ａに触れた状態で指を滑らせる操作を意味する。長押し操作とは、所定時間（例えば、１秒）以上、タッチパネル１０５ａを押す操作を意味する。
【００２５】
表示制御部１０７ｃは、表示パネル１０４ａの重畳表示領域Ｒ１に、複数（例えば、２つ）の画像（動画像Ａ、動画像Ｂ）を識別可能に透過させて重畳表示するとともに、個別表示領域Ｒ２ａ，Ｒ２ｂの各々に、動画像Ａと動画像Ｂを個別に表示する制御を行う。
すなわち、表示制御部（表示制御手段）１０７ｃは、重畳表示領域Ｒ１に、動画像Ａと動画像Ｂの各々を構成する互いのフレーム画像を１フレームずつ重畳表示するとともに、個別表示領域Ｒ２ａ，Ｒ２ｂの各々に、動画像Ａと動画像Ｂの各々を構成する互いのフレーム画像（サムネイル化されたフレーム画像）を、連続する複数フレームずつ並べて表示する制御を行う。
【００２６】
具体的には、ユーザによる操作入力部１０５の所定操作に基づいて、例えば、動画像の重ね合わせ再生モードが選択され、当該モードにおいて、同じく操作入力部１０５の所定操作に基づいて、例えば、プロゴルファー等の被写体Ｐ１による理想のゴルフスイングが撮像された動画像Ａの画像データと、ユーザ自身（被写体Ｐ２）のゴルフスイングが撮像された動画像Ｂの画像データとが選択された場合、表示制御部１０７ｃは、例えば、図２（ａ）に示すように、動画像Ａと動画像Ｂの各々を構成する互いのフレーム画像において、１フレームずつ上記被写体Ｐ１と被写体Ｐ２とを重ね合わせて重畳表示領域Ｒ１に順次表示（再生表示）するとともに、個別表示領域Ｒ２ａ，Ｒ２ｂの各々に、動画像Ａと動画像Ｂの各々を構成する互いのフレーム画像（サムネイル化されたフレーム画像）を、連続する複数フレームずつ並べて表示する制御を行う。なお、個別表示領域Ｒ２ａ，Ｒ２ｂの各々の中央（重ね合わせ調整基準位置ＳＴ）に位置する太枠表示されたフレーム画像（サムネイル化されたフレーム画像）は、このとき重畳表示領域Ｒ１に重畳表示されている動画像Ａと動画像Ｂの各々を構成する互いのフレーム画像に対応するようになっている。
【００２７】
また、表示制御部１０７ｃは、動画像Ａと動画像Ｂの各々を構成する互いのフレーム画像を対象として、１フレームずつ上記被写体Ｐ１と被写体Ｐ２とを重ね合わせて重畳表示領域Ｒ１に表示した状態を維持しながら、指定部１０７ａにより指定された画像（動画像Ａ、動画像Ｂ）を、検出部１０７ｂにより検出されたユーザ操作に応じて、空間的又は時間的に変化させる制御を行う。
すなわち、表示制御部１０７ｃは、空間的に変化させる制御として、指定部１０７ａにより指定された画像（動画像Ａ、動画像Ｂ）の空間的な大きさ又は空間的な位置を変化させる制御を行う。また、表示制御部１０７ｃは、時間的に変化させる制御として、指定部１０７ａにより指定された画像（動画像Ａ、動画像Ｂ）のフレームレート又は動画像内における時間的な位置を変化させる制御を行う。
【００２８】
具体的には、表示制御部１０７ｃは、例えば、図２（ａ）に示すように、動画像Ａと動画像Ｂの各々を構成する互いのフレーム画像について、１フレームずつ被写体Ｐ１と被写体Ｐ２とを重ね合わせて重畳表示領域Ｒ１に順次表示（再生表示）している際に、ユーザによる個別表示領域Ｒ２ａ，Ｒ２ｂへのタップ操作があるか否かを判定する。ここで、個別表示領域Ｒ２ａ，Ｒ２ｂへのタップ操作があると判定された場合、表示制御部１０７ｃは、重畳表示領域Ｒ１における再生表示を一旦停止させ、タップ操作がなされた個別表示領域の枠部分を太枠表示する制御を行う。
【００２９】
例えば、ユーザによりタッチパネル１０５ａの個別表示領域Ｒ２ａに対応する領域へのタップ操作がなされ、指定部１０７ａにより動画像Ａが指定されると、図２（ｂ）に示すように、表示制御部１０７ｃは、個別表示領域Ｒ２ａの枠部分を太枠表示する制御を行う。このとき、表示制御部１０７ｃは、図２（ｂ）に示すように、重畳表示領域Ｒ１に表示されている動画像Ａの被写体Ｐ１と動画像Ｂの被写体Ｐ２のうち、指定部１０７ａにより指定された動画像Ａの被写体Ｐ１を、公知の技術を使用して輪郭強調表示する制御を行う。
また、ユーザによりタッチパネル１０５ａの個別表示領域Ｒ２ｂに対応する領域へのタップ操作がなされ、指定部１０７ａにより動画像Ｂが指定されると、図２（ｃ）に示すように、表示制御部１０７ｃは、個別表示領域Ｒ２ｂの枠部分を太枠表示する制御を行う。このとき、表示制御部１０７ｃは、図２（ｃ）に示すように、重畳表示領域Ｒ１に表示されている動画像Ａの被写体Ｐ１と動画像Ｂの被写体Ｐ２のうち、指定部１０７ａにより指定された動画像Ｂの被写体Ｐ２を、公知の技術を使用して輪郭強調表示する制御を行う。
また、ユーザによりタッチパネル１０５ａの個別表示領域Ｒ２ａ及び個別表示領域Ｒ２ｂの各々に対応する領域へのタップ操作がなされ、指定部１０７ａにより動画像Ａと動画像Ｂの両方が指定されると、図示は省略するが、表示制御部１０７ｃは、個別表示領域Ｒ２ａの枠部分と個別表示領域Ｒ２ｂの枠部分とをそれぞれ太枠表示する制御を行う。このとき、表示制御部１０７ｃは、重畳表示領域Ｒ１に表示されている動画像Ａの被写体Ｐ１と動画像Ｂの被写体Ｐ２の何れに対しても輪郭強調表示する制御を行わない。
【００３０】
そして、個別表示領域Ｒ２ａ、Ｒ２ｂの枠部分のうちの少なくとも何れか一方が太枠表示されている際に、表示制御部１０７ｃは、検出部１０７ｂにより、重畳表示領域Ｒ１に対するピンチ操作・スワイプ操作が検出されたか否かを判定する。ここで、検出部１０７ｂにより、重畳表示領域Ｒ１に対するピンチ操作が検出されと判定された場合、表示制御部１０７ｃは、重畳表示領域Ｒ１に重畳表示されている動画像Ａと動画像Ｂの各々のフレーム画像のうち、太枠表示されている個別表示領域に対応する動画像のフレーム画像を拡大又は縮小する、すなわち重ね合わせ調整基準位置ＳＴに該当するフレーム画像の空間的な大きさを変化させる制御を行う。例えば、個別表示領域Ｒ２ａのみが太枠表示されている場合（図２（ｂ）参照）、表示制御部１０７ｃは、重畳表示領域Ｒ１に対するピンチ操作に応じて、重畳表示領域Ｒ１に重畳表示されている動画像Ａのフレーム画像のみ拡大又は縮小する制御を行う。また、個別表示領域Ｒ２ｂのみが太枠表示されている場合（図２（ｃ）参照）、表示制御部１０７ｃは、重畳表示領域Ｒ１に対するピンチ操作に応じて、重畳表示領域Ｒ１に重畳表示されている動画像Ｂのフレーム画像のみ拡大又は縮小する制御を行う。また、個別表示領域Ｒ２ａと個別表示領域Ｒ２ｂの両方が太枠表示されている場合、表示制御部１０７ｃは、重畳表示領域Ｒ１に対するピンチ操作に応じて、重畳表示領域Ｒ１に重畳表示されている動画像Ａと動画像Ｂの各々のフレーム画像を同時に拡大又は縮小する制御を行う。なお、本実施形態では、一般的な拡大縮小の表示制御とは異なり、表示制御部１０７ｃは、例えば、ユーザによるタッチパネル１０５ａの所謂ピンチイン操作に基づいて、重畳表示領域Ｒ１に表示されている元画像（動画像を構成するフレーム画像）を、この元画像のサイズよりも小さいサイズに縮小して表示する制御を行うことができる。かかる場合、表示制御部１０７ｃは、表示領域外となった余白部分に関しては、単色（白、黒、青等）の画像を表示する制御を行う。
【００３１】
また、個別表示領域Ｒ２ａ、Ｒ２ｂの枠部分のうちの少なくとも何れか一方が太枠表示されている際に、検出部１０７ｂにより、重畳表示領域Ｒ１に対するスワイプ操作が検出されと判定された場合、表示制御部１０７ｃは、重畳表示領域Ｒ１に重畳表示されている動画像Ａと動画像Ｂの各々のフレーム画像のうち、太枠表示されている個別表示領域に対応する動画像のフレーム画像をスクロール表示する、すなわち重ね合わせ調整基準位置ＳＴに該当するフレーム画像の空間的な位置を変化させる制御を行う。例えば、個別表示領域Ｒ２ａのみが太枠表示されている場合（図２（ｂ）参照）、表示制御部１０７ｃは、重畳表示領域Ｒ１に対するスワイプ操作に応じて、重畳表示領域Ｒ１に重畳表示されている動画像Ａのフレーム画像のみスクロール表示する制御を行う。また、個別表示領域Ｒ２ｂのみが太枠表示されている場合（図２（ｃ）参照）、表示制御部１０７ｃは、重畳表示領域Ｒ１に対するスワイプ操作に応じて、重畳表示領域Ｒ１に重畳表示されている動画像Ｂのフレーム画像のみスクロール表示する制御を行う。また、個別表示領域Ｒ２ａと個別表示領域Ｒ２ｂの両方が太枠表示されている場合、表示制御部１０７ｃは、重畳表示領域Ｒ１に対するスワイプ操作に応じて、重畳表示領域Ｒ１に重畳表示されている動画像Ａと動画像Ｂの各々のフレーム画像を同時にスクロール表示する制御を行う。なお、本実施形態では、一般的なスクロール表示制御とは異なり、表示制御部１０７ｃは、例えば、ユーザによるタッチパネル１０５ａの所謂スワイプ操作に基づいて、重畳表示領域Ｒ１に表示されている元画像（動画像を構成するフレーム画像）を、この元画像の全てが表示領域外とならない範囲でスクロール表示する制御を行うことができる。この場合も同様に、表示制御部１０７ｃは、表示領域外となった余白部分に関しては、単色（白、黒、青等）の画像を表示する制御を行う。
【００３２】
また、個別表示領域Ｒ２ａ、Ｒ２ｂの枠部分のうちの少なくとも何れか一方が太枠表示されている際に、表示制御部１０７ｃは、検出部１０７ｂにより、太枠表示されている個別表示領域Ｒ２ａ、Ｒ２ｂに対するスワイプ操作・ピンチ操作・長押し操作が検出されたか否かを判定する。ここで、検出部１０７ｂにより、太枠表示されている個別表示領域Ｒ２ａ、Ｒ２ｂに対するスワイプ操作が検出されと判定された場合、表示制御部１０７ｃは、スワイプ操作がなされたときのユーザの指のスライド量に応じて、重畳表示領域Ｒ１に表示されている動画像（当該スワイプ操作がなされた個別表示領域に対応する動画像）のフレーム画像をコマ送り表示するとともに、当該スワイプ操作がなされた個別表示領域に表示されているフレーム画像（サムネイル化されたフレーム画像）をスライド表示する、すなわち当該フレーム画像の時間的な位置を変化させる制御を行う。
具体的には、例えば、図２（ｂ），（ｃ）に示すように、個別表示領域Ｒ２ａ、Ｒ２ｂの各々の中央部分が重ね合わせ調整基準位置ＳＴに設定されており、互いに重ね合わせたい被写体Ｐ１、Ｐ２に係るフレーム画像がこの重ね合わせ調整基準位置ＳＴに表示されるように、個別表示領域Ｒ２ａ、Ｒ２ｂをスワイプ操作することで、ユーザ所望のタイミングのフレーム画像に係る被写体Ｐ１と被写体Ｐ２とを重ね合わせることができる。なお、重ね合わせ調整基準位置ＳＴは、個別表示領域Ｒ２ａ、Ｒ２ｂの各々の中央部分に限定されるものではなく、例えば、個別表示領域Ｒ２ａ、Ｒ２ｂの各々の左端部分であってもよい。
【００３３】
また、個別表示領域Ｒ２ａ、Ｒ２ｂの枠部分のうちの少なくとも何れか一方が太枠表示されている際に、検出部１０７ｂにより、太枠表示されている個別表示領域Ｒ２ａ、Ｒ２ｂに対するピンチ操作が検出されたと判定された場合、表示制御部１０７ｃは、ピンチ操作がなされたときのユーザの指同士の間隔の大きさに応じて、当該ピンチ操作がなされた個別表示領域に表示されている隣合うフレーム画像（サムネイル化されたフレーム画像）同士の間隔を変更することで、当該個別表示領域に対応する動画像のフレームレートを変化させる制御を行う。
例えば、個別表示領域Ｒ２ｂのみが太枠表示されている場合（図２（ｃ）参照）において、個別表示領域Ｒ２ｂの中央のフレーム画像（重ね合わせ調整基準位置ＳＴのフレーム画像）をタッチ開始位置として、左右方法にピンチ操作がなされると、タッチ開始位置のフレーム画像を中央に維持した状態で、表示制御部１０７ｃは、個別表示領域Ｒ２ｂに対応する動画像Ｂのフレームレートを変化させる制御を行う。また、個別表示領域Ｒ２ｂの左端のフレーム画像をタッチ開始位置とした場合、右方向にだけピンチ操作を行うことにより、当該タッチ開始位置のフレーム画像を左端に維持した状態で、表示制御部１０７ｃは、個別表示領域Ｒ２ｂに対応する動画像Ｂのフレームレートを変化させることが可能となる。
【００３４】
また、個別表示領域Ｒ２ａ、Ｒ２ｂの枠部分のうちの何れか一方が太枠表示されている際に、検出部１０７ｂにより、太枠表示されている個別表示領域Ｒ２ａ、Ｒ２ｂに対する長押し操作が検出されたと判定された場合、表示制御部１０７ｃは、当該長押し操作の態様に応じて、重畳表示領域Ｒ１に表示されている動画像（当該長押し操作がなされた個別表示領域に対応する動画像）のフレーム画像の透過率を変化させる制御を行う。
【００３５】
具体的には、個別表示領域Ｒ２ａのみが太枠表示されている場合（図２（ｂ）参照）、表示制御部１０７ｃは、長押し操作の時間の長さに応じて、重畳表示領域Ｒ１に重畳表示されている動画像Ａのフレーム画像の透過率が１００％となるまで当該透過率を上げていく一方で、動画像Ｂのフレーム画像の透過率が０％となるまで当該透過率を下げていく。
また、個別表示領域Ｒ２ｂのみが太枠表示されている場合（図２（ｂ）参照）、表示制御部１０７ｃは、長押し操作の時間の長さに応じて、重畳表示領域Ｒ１に重畳表示されている動画像Ｂのフレーム画像の透過率が１００％となるまで当該透過率を上げていく一方で、動画像Ａのフレーム画像の透過率が０％となるまで当該透過率を下げていく。
また、個別表示領域Ｒ２ａと個別表示領域Ｒ２ｂの両方が太枠表示されており、これら両方に対する長押し操作が検出されたと判定された場合、表示制御部１０７ｃは、重畳表示領域Ｒ１に重畳表示されている動画像Ａと動画像Ｂの各々のフレーム画像の透過率をデフォルトの値に戻す。
【００３６】
また、個別表示領域Ｒ２ａに対応する領域へも個別表示領域Ｒ２ｂに対応する領域へもタップ操作がなされておらず、個別表示領域Ｒ２ａ、Ｒ２ｂの枠部分が何れも太枠表示されていない際に、表示制御部１０７ｃは、検出部１０７ｂにより、重畳表示領域Ｒ１に対するスワイプ操作が検出されたか否かを判定する。ここで、検出部１０７ｂにより、重畳表示領域Ｒ１に対するスワイプ操作が検出されと判定された場合、表示制御部１０７ｃは、スワイプ操作がなされたときのユーザの指のスライド量に応じて、重畳表示領域Ｒ１に重畳表示されている動画像Ａと動画像Ｂとが所定方向（例えば、順方向や逆方向等）に送り再生される時間が一定となるように、当該重畳表示されている動画像Ａと動画像Ｂの送り再生を制御する。例えば、検出部１０７ｂにより、重畳表示領域Ｒ１に対する左から右方向へのスワイプ操作が検出された場合、重畳表示領域Ｒ１に重畳表示されている動画像Ａと動画像Ｂとが順方向に送り再生される。一方、検出部１０７ｂにより、重畳表示領域Ｒ１に対する右から左方向へのスワイプ操作が検出された場合、重畳表示領域Ｒ１に重畳表示されている動画像Ａと動画像Ｂとが逆方向に送り再生される。
ここで、送り再生とは、通常の再生速度に対して高速或いは低速で順方向或いは逆方向に再生することを言い、例えば、早送り、早戻し、スロー送り、スロー戻し等が挙げられる。
【００３７】
次に、本実施形態の端末装置１で実行される表示制御処理について説明する。図３は、表示制御処理の一例を示すフローチャートである。図４は、動画像表示制御処理の一例を示すフローチャートである。
【００３８】
図３に示すように、先ず、ユーザによる操作入力部１０５の所定操作に基づいて、記憶部１０３に記録されている動画像のうち、重畳表示の対象となる各動画像（動画像Ａ、動画像Ｂ）の画像データが指定されると（ステップＳ１）、表示制御部１０７ｃは、指定された各動画像の画像データを記憶部１０３から読み出して、図示しない画像処理部により復号された各動画像を構成する複数のフレーム画像を所定の再生フレームレートで表示パネル１０４ａの重畳表示領域Ｒ１（図２（ａ）参照）に重畳表示する制御を行う（ステップＳ２）。
【００３９】
次いで、表示制御部１０７ｃは、各動画像の重畳表示が終了したか否かを判定する（ステップＳ３）。ここで、各動画像の重畳表示の終了態様には、各動画像の表示時間が終了時間に達したことによる終了態様と、ユーザによる操作入力部１０５の所定操作に基づく終了態様とがある。
ステップＳ３において、各動画像の重畳表示が終了したと判定された場合（ステップＳ３；ＹＥＳ）、表示制御処理を終了する。
一方、ステップＳ３において、各動画像の重畳表示が終了していないと判定された場合（ステップＳ３；ＮＯ）、表示制御部１０７ｃは、個別表示領域Ｒ２ａ，Ｒ２ｂへのタップ操作があったか否かを判定する（ステップＳ４）。
【００４０】
ステップＳ４において、個別表示領域Ｒ２ａ，Ｒ２ｂへのタップ操作があったと判定された場合（ステップＳ４；ＹＥＳ）、表示制御部１０７ｃは、各動画像の重畳表示を一旦停止する（ステップＳ５）。そして、表示制御部１０７ｃは、動画像表示制御処理を行い（ステップＳ６）、ステップＳ３へ戻りそれ以降の処理を繰り返し行う。なお、動画像表示制御処理の詳細については後述する。
【００４１】
また、ステップＳ４において、個別表示領域Ｒ２ａ，Ｒ２ｂへのタップ操作がないと判定された場合（ステップＳ４；ＮＯ）、表示制御部１０７ｃは、重畳表示領域Ｒ１へのスワイプ操作があったか否か、すなわち検出部１０７ｂにより、重畳表示領域Ｒ１へのスワイプ操作が検出されたか否かを判定する（ステップＳ７）。
ステップＳ７において、重畳表示領域Ｒ１へのスワイプ操作がないと判定された場合（ステップＳ７；ＮＯ）は、ステップＳ３へ戻りそれ以降の処理を繰り返し行う。
一方、ステップＳ７において、重畳表示領域Ｒ１へのスワイプ操作があったと判定された場合（ステップＳ７；ＹＥＳ）、表示制御部１０７ｃは、スワイプ操作がなされたときのユーザの指のスライド量に応じて、重畳表示領域Ｒ１に重畳表示されている動画像Ａと動画像Ｂとが所定方向（例えば、順方向や逆方向等）に送り再生される時間が一定となるように、当該重畳表示されている動画像Ａと動画像Ｂの送り再生を制御する（ステップＳ８）。そして、表示制御部１０７ｃは、ステップＳ３へ戻りそれ以降の処理を繰り返し行う。
【００４２】
次に、本実施形態の端末装置１で実行される動画像表示制御処理について説明する。
図４に示すように、先ず、表示制御部１０７ｃは、表示制御処理（図３参照）のステップＳ４において、タップ操作があったと判定された個別表示領域Ｒ２ａ，Ｒ２ｂの枠部分を太枠表示する制御を行う（ステップＳ１１）。また、このとき、表示制御部１０７ｃは、タップ操作がなされた個別表示領域（例えば、個別表示領域Ｒ２ａ）に対応する、重畳表示領域Ｒ１に表示されている動画像（例えば、動画像Ａ）の被写体（例えば、被写体Ｐ１）を輪郭強調表示する制御を行う。ただし、タップ操作がなされた個別表示領域が個別表示領域Ｒ２ａと個別表示領域Ｒ２ｂの両方である場合、表示制御部１０７ｃは、重畳表示領域Ｒ１に表示されている動画像Ａの被写体Ｐ１も動画像Ｂの被写体Ｐ２も輪郭強調表示を行わない。
【００４３】
次いで、表示制御部１０７ｃは、重畳表示領域Ｒ１への操作（スワイプ操作・ピンチ操作）があったか否か、すなわち検出部１０７ｂにより、重畳表示領域Ｒ１へのスワイプ操作・ピンチ操作が検出されたか否かを判定する（ステップＳ１２）。
ステップＳ１２において、重畳表示領域Ｒ１への操作（スワイプ操作・ピンチ操作）があったと判定された場合（ステップＳ１２；ＹＥＳ）、表示制御部１０７ｃは、重畳表示領域Ｒ１への操作（スワイプ操作・ピンチ操作）に応じて、タップ操作がなされた個別表示領域（例えば、個別表示領域Ｒ２ａ）に対応する、重畳表示領域Ｒ１に表示されている動画像（例えば、動画像Ａ）のフレーム画像（被写体Ｐ１）の大きさ・位置を変更する制御を行い（ステップＳ１３）、ステップＳ１４へ移行する。
一方、ステップＳ１２において、重畳表示領域Ｒ１への操作（スワイプ操作・ピンチ操作）がないと判定された場合（ステップＳ１２；ＮＯ）、ステップＳ１３をスキップして、ステップＳ１４へ移行する。
【００４４】
次いで、表示制御部１０７ｃは、ステップＳ１１で太枠表示がなされた個別表示領域Ｒ２ａ，Ｒ２ｂでスワイプ操作があったか否か、すなわち検出部１０７ｂにより、個別表示領域Ｒ２ａ，Ｒ２ｂでスワイプ操作が検出されたか否かを判定する（ステップＳ１４）。
ステップＳ１４において、太枠表示がなされた個別表示領域Ｒ２ａ，Ｒ２ｂでスワイプ操作があったと判定された場合（ステップＳ１４；ＹＥＳ）、表示制御部１０７ｃは、スワイプ操作がなされたときのユーザの指のスライド量に応じて、重畳表示領域Ｒ１に表示されている動画像（当該スワイプ操作がなされた個別表示領域に対応する動画像）のフレーム画像をコマ送り表示するとともに、当該スワイプ操作がなされた個別表示領域に表示されているフレーム画像（サムネイル化されたフレーム画像）をスライド表示する制御を行い（ステップＳ１５）、ステップＳ１６へ移行する。
一方、ステップＳ１４において、太枠表示がなされた個別表示領域Ｒ２ａ，Ｒ２ｂでスワイプ操作がないと判定された場合（ステップＳ１４；ＮＯ）は、ステップＳ１５をスキップして、ステップＳ１６へ移行する。
【００４５】
次いで、表示制御部１０７ｃは、ステップＳ１１で太枠表示がなされた個別表示領域Ｒ２ａ，Ｒ２ｂでピンチ操作があったか否か、すなわち検出部１０７ｂにより、個別表示領域Ｒ２ａ，Ｒ２ｂでピンチ操作が検出されたか否かを判定する（ステップＳ１６）。
ステップＳ１６において、太枠表示がなされた個別表示領域Ｒ２ａ，Ｒ２ｂでピンチ操作があったと判定された場合（ステップＳ１６；ＹＥＳ）、表示制御部１０７ｃは、ピンチ操作がなされたときのユーザの指同士の間隔の大きさに応じて、当該ピンチ操作がなされた個別表示領域に表示されている隣合うフレーム画像（サムネイル化されたフレーム画像）同士の間隔を変更することで、当該個別表示領域に対応する動画像のフレームレートを変化させる制御を行い（ステップＳ１７）、ステップＳ１８へ移行する。
一方、ステップＳ１６において、太枠表示がなされた個別表示領域Ｒ２ａ，Ｒ２ｂでピンチ操作がないと判定された場合（ステップＳ１６；ＮＯ）は、ステップＳ１７をスキップして、ステップＳ１８へ移行する。
【００４６】
次いで、表示制御部１０７ｃは、ステップＳ１１で太枠表示がなされた個別表示領域Ｒ２ａ，Ｒ２ｂで長押し操作があったか否か、すなわち検出部１０７ｂにより、個別表示領域Ｒ２ａ，Ｒ２ｂで長押し操作が検出されたか否かを判定する（ステップＳ１８）。
ステップＳ１８において、太枠表示がなされた個別表示領域Ｒ２ａ，Ｒ２ｂで長押し操作があったと判定された場合（ステップＳ１８；ＹＥＳ）、表示制御部１０７ｃは、当該長押し操作の態様に応じて、重畳表示領域Ｒ１に表示されている動画像（当該長押し操作がなされた個別表示領域に対応する動画像）のフレーム画像の透過率を変化させる制御を行い（ステップＳ１９）、ステップＳ２０へ移行する。
一方、ステップＳ１８において、太枠表示がなされた個別表示領域Ｒ２ａ，Ｒ２ｂで長押し操作がないと判定された場合（ステップＳ１８；ＮＯ）は、ステップＳ１９をスキップして、ステップＳ２０へ移行する。
【００４７】
次いで、表示制御部１０７ｃは、個別表示領域Ｒ２ａ，Ｒ２ｂへのタップ操作があったか否かを判定する（ステップＳ２０）。
ステップＳ２０において、個別表示領域Ｒ２ａ，Ｒ２ｂへのタップ操作がないと判定された場合（ステップＳ２０；ＮＯ）、ステップＳ２１〜ステップＳ２２をスキップして、ステップＳ２３へ移行する。
一方、ステップＳ２０において、個別表示領域Ｒ２ａ，Ｒ２ｂへのタップ操作があったと判定された場合（ステップＳ２０；ＹＥＳ）、表示制御部１０７ｃは、個別表示領域Ｒ２ａ，Ｒ２ｂの枠部分の太枠表示を変更する制御を行う（ステップＳ２１）。具体的には、表示制御部１０７ｃは、当該タップ操作が再度のタップ操作、すなわち太枠表示がなされている個別表示領域Ｒ２ａ，Ｒ２ｂへのタップ操作である場合は、個別表示領域Ｒ２ａ，Ｒ２ｂの枠部分の太枠表示を解除する制御を行う一方、再度のタップ操作でない場合は、タップ操作があった個別表示領域Ｒ２ａ，Ｒ２ｂの枠部分を太枠表示する制御を行う（ステップＳ２１）。
【００４８】
次いで、表示制御部１０７ｃは、個別表示領域Ｒ２ａ，Ｒ２ｂへのタップ操作により個別表示領域Ｒ２ａ，Ｒ２ｂの枠部分うちの少なくとも何れか一方が太枠表示されているか否かを判定する（ステップＳ２２）。
【００４９】
ステップＳ２２において、個別表示領域Ｒ２ａ，Ｒ２ｂの枠部分の何れもが太枠表示されていないと判定された場合（ステップＳ２２；ＮＯ）は、ステップＳ２３をスキップして、ステップＳ２４へ移行する。
一方、ステップＳ２２において、個別表示領域Ｒ２ａ，Ｒ２ｂの枠部分のうちの少なくとも何れか一方が太枠表示されていると判定された場合（ステップＳ２２；ＹＥＳ）、ステップＳ２３へ移行する。
【００５０】
次いで、表示制御部１０７ｃは、所定時間（例えば、２秒）継続して、タッチパネル１０５ａへのユーザ操作が無かったか否かを判定する（ステップＳ２３）。
ステップＳ２３において、所定時間（例えば、２秒）の間に、タッチパネル１０５ａへのユーザ操作があったと判定された場合（ステップＳ２３；ＮＯ）は、ステップＳ１２へ戻りそれ以降の処理を繰り返し行う。
一方、ステップＳ２３において、所定時間（例えば、２秒）継続して、タッチパネル１０５ａへのユーザ操作が無かったと判定された場合（ステップＳ２３；ＹＥＳ）、及び、個別表示領域Ｒ２ａ，Ｒ２ｂの枠部分が何れも太枠表示されていないと判定された場合（ステップＳ２２；ＮＯ）、表示制御部１０７ｃは、重畳表示領域Ｒ１の各動画像の重畳表示の一旦停止（再生停止）を解除して（ステップＳ２４）、動画像表示制御処理を終了する。
【００５１】
以上のように、本実施形態の端末装置１は、動画像Ａと動画像Ｂとを識別可能に透過させて重畳表示領域Ｒ１に重畳表示する制御を行い、動画像Ａと動画像Ｂのうちの少なくとも何れか一の画像を指定し、動画像Ａと動画像Ｂの画像に対するユーザ操作を検出する。また、端末装置１は、動画像Ａと動画像Ｂとを重畳表示した状態を維持しながら、指定された画像を、検出されたユーザ操作に応じて、空間的又は時間的に変化させる制御を行う。
このため、本実施形態の端末装置１にあっては、動画像Ａと動画像Ｂとを重畳表示した状態を維持しながら、指定された画像を、検出されたユーザ操作に応じて、空間的又は時間的に変化させる制御を行うので、互いの画像の大きさや位置等を調整する場合に、重畳表示を解除する必要が無なくなり、透過させて重畳表示している動画像Ａと動画像Ｂに対する空間的又は時間的な調整を容易にすることができる。
【００５２】
また、本実施形態の端末装置１は、空間的に変化させる制御として、指定された画像の空間的な大きさ又は空間的な位置を変化させる制御を行うので、動画像Ａと動画像Ｂの空間的な重ね合わせの調整を適切に行うことができる。
【００５３】
また、本実施形態の端末装置１は、時間的に変化させる制御として、動画像（動画像Ａ、動画像Ｂ）のフレームレート又は当該動画像（動画像Ａ、動画像Ｂ）内における時間的な位置を変化させる制御を行うので、動画像Ａと動画像Ｂの時間的な重ね合わせの調整を適切に行うことができる。
【００５４】
また、本実施形態の端末装置１は、動画像Ａと動画像Ｂを重畳表示する重畳表示領域Ｒ１とは異なる複数の個別表示領域Ｒ２ａ，Ｒ２ｂの各々に、動画像Ａと動画像Ｂの各々を個別に表示する制御を、更に行い、個別表示領域Ｒ２ａ，Ｒ２ｂに対するユーザ操作に応じて、動画像Ａと動画像Ｂのうちの少なくとも何れか一の画像を指定するので、当該指定に係る操作を容易に行うことができる。
【００５５】
また、本実施形態の端末装置１は、重畳表示領域Ｒ１に対するユーザ操作であって、動画像（動画像Ａ、動画像Ｂ）を空間的に変化させるためのユーザ操作とは異なるユーザ操作に応じて、動画像Ａと動画像Ｂを重畳表示した状態を維持しながら、動画像Ａと動画像Ｂを同時に時間的に変化させる制御を行うので、動画像Ａと動画像Ｂの時間的な重ね合わせの調整を行いたいタイミングを容易に探し出すことができるようになる。
【００５６】
また、本実施形態の端末装置１は、重畳表示領域Ｒ１に、動画像Ａと動画像Ｂの各々を構成する互いのフレーム画像を１フレームずつ重畳表示するとともに、複数の個別表示領域Ｒ２ａ，Ｒ２ｂの各々に、動画像Ａと動画像Ｂの各々を構成する互いのフレーム画像（サムネイル化されたフレーム画像）を、連続する複数フレームずつ並べて表示する制御を行う。
このため、本実施形態の端末装置１にあっては、動画像Ａと動画像Ｂの時間的な重ね合わせの調整を行う場合、個別表示領域Ｒ２ａ，Ｒ２ｂの各々に連続して表示された複数のフレーム画像同士を比較しながら、当該調整が必要なフレーム画像を選び出すことができるので、動画像Ａと動画像Ｂの時間的な重ね合わせの調整を効率良く行うことができる。
【００５７】
また、本実施形態の端末装置１は、個別表示領域Ｒ２ａ，Ｒ２ｂに対するユーザ操作であって、動画像Ａと動画像Ｂのうちの少なくとも何れか一の画像を指定するためのユーザ操作とは異なるユーザ操作に応じて、重畳表示領域Ｒ１に重畳表示されている動画像Ａと動画像Ｂの透過率を変化させる制御を行う。
このため、本実施形態の端末装置１にあっては、重畳表示領域Ｒ１に重畳表示されている動画像Ａと動画像Ｂの透過率を変化させることによって、各動画像（動画像Ａ、動画像Ｂ）のどちらかに重きを置いた状態で重畳表示の状態を確認することができるので、動画像Ａと動画像Ｂの空間的な重ね合わせの調整をより適切に行うことができる。
【００５８】
また、本実施形態の端末装置１は、動画像Ａと動画像Ｂのうちの何れか一の画像が指定された場合、当該画像を強調、すなわち当該画像の被写体を輪郭強調表示するようにして動画像Ａと動画像Ｂを重畳表示する制御を行うので、重ね合わせの調整を行う対象となる画像を見分け易くすることができ、動画像Ａと動画像Ｂに対する空間的又は時間的な調整をより容易にすることができる。
【００５９】
［実施形態２］
続いて、実施形態２の表示装置２について説明する。なお、実施形態２の表示装置２の概略構成は上記実施形態１と同様であるため、重複する説明を省略し異なる部分を主として説明する。
実施形態２の表示装置２は、表示制御部１０７ｃの制御下にて、図５（ａ），（ｂ）に示すように、ユーザが比較したい複数（例えば、２つ）の画像を識別可能に透過させて表示パネル１０４ａの重畳表示領域Ｒ１に重畳表示するのみであり、個別表示領域を有していない点で、上記実施形態１と異なっている。また、実施形態２の表示装置２では、重畳表示の対象となる画像が静止画像であり、表示制御部１０７ｃは、複数の画像を重畳表示した状態を維持しながら、指定部１０７ａにより指定された画像を、検出部１０７ｂにより検出されたユーザ操作に応じて、空間的に変化させる制御のみを行う点で、上記実施形態１と異なっている。
【００６０】
指定部１０７ａは、図５（ａ），（ｂ）に示すように、表示パネル１０４ａに表示された画像選択キーである「Ａ」キーＫ１、「Ｂ」キーＫ２、「ＡＢ」キーＫ３の何れかに対するユーザ操作に応じて、表示パネル１０４ａの重畳表示領域Ｒ１に重畳表示されている複数の画像（静止画像ａ、静止画像ｂ）のうちの少なくとも何れか一の画像を指定する。「Ａ」キーＫ１、「Ｂ」キーＫ２、及び、「ＡＢ」キーＫ３は、選択機能が排他的に制御されるように構成されている。つまり、これらのキーのうち、常に１つのキーのみが選択状態になるように構成されている。
具体的には、例えば、図５（ａ）に示すように、ユーザにより「ＡＢ」キーＫ３が押下された場合、指定部１０７ａは、静止画像ａと静止画像ｂの両方を指定する。かかる場合、表示制御部１０７ｃの制御下にて、重畳表示領域Ｒ１に表示されている静止画像ａの被写体Ｐ１も静止画像ｂの被写体Ｐ２も輪郭強調表示されないようになっている。
また、図５（ｂ）に示すように、ユーザにより「Ａ」キーＫ１が押下された場合、指定部１０７ａは、静止画像ａを指定する。かかる場合、表示制御部１０７ｃの制御下にて、重畳表示領域Ｒ１に表示されている静止画像ａの被写体Ｐ１が輪郭強調表示されるようになっている。
また、図示は省略するが、ユーザにより「Ｂ」キーＫ２が押下された場合、指定部１０７ａは、静止画像ｂを指定する。かかる場合、表示制御部１０７ｃの制御下にて、重畳表示領域Ｒ１に表示されている静止画像ｂの被写体Ｐ２が輪郭強調表示されるようになっている。
【００６１】
表示制御部１０７ｃは、表示パネル１０４ａの重畳表示領域Ｒ１に、複数（例えば、２つ）の画像（静止画像ａ、静止画像ｂ）を識別可能に透過させて重畳表示する制御を行う。
具体的には、ユーザによる操作入力部１０５の所定操作に基づいて、例えば、静止画像の重ね合わせ再生モードが選択され、当該モードにおいて、同じく操作入力部１０５の所定操作に基づいて、例えば、被写体Ｐ１による理想の箸の持ち方が撮像された静止画像ａの画像データと、ユーザ自身（被写体Ｐ２）の箸の持ち方が撮像された静止画像ｂの画像データとが選択された場合、表示制御部１０７ｃは、静止画像ａの被写体Ｐ１と静止画像ｂの被写体Ｐ２とを重ね合わせて重畳表示領域Ｒ１に表示する制御を行う。
【００６２】
また、表示制御部１０７ｃは、静止画像ａの被写体Ｐ１と静止画像ｂの被写体Ｐ２とを重ね合わせて重畳表示領域Ｒ１に表示した状態を維持しながら、指定部１０７ａにより指定された画像（静止画像ａ、静止画像ｂ）を、検出部１０７ｂにより検出されたユーザ操作に応じて、空間的に変化させる制御を行う。
すなわち、表示制御部１０７ｃは、空間的に変化させる制御として、指定部１０７ａにより指定された画像（静止画像ａ、静止画像ｂ）の空間的な大きさ又は空間的な位置を変化させる制御を行う。
【００６３】
具体的には、例えば、ユーザにより「Ａ」キーＫ１の押下操作がなされ、指定部１０７ａにより静止画像ａが指定されると、図５（ｂ）に示すように、表示制御部１０７ｃは、重畳表示領域Ｒ１に表示されている静止画像ａの被写体Ｐ１と静止画像ｂの被写体Ｐ２のうち、指定部１０７ａにより指定された静止画像ａの被写体Ｐ１を、公知の技術を使用して輪郭強調表示する制御を行う。なお、ユーザにより「ＡＢ」キーＫ３の押下操作がなされ、指定部１０７ａにより静止画像ａと静止画像ｂの両方が指定された場合は、図５（ａ）に示すように、表示制御部１０７ｃは、重畳表示領域Ｒ１に表示されている静止画像ａの被写体Ｐ１と静止画像ｂの被写体Ｐ２の何れに対しても輪郭強調表示する制御を行わない。
【００６４】
そして、指定部１０７ａにより静止画像ａと静止画像ｂのうちの少なくとも何れか一の画像が指定されている際に、表示制御部１０７ｃは、検出部１０７ｂにより、重畳表示領域Ｒ１に対するピンチ操作・スワイプ操作が検出されたか否かを判定する。ここで、検出部１０７ｂにより、重畳表示領域Ｒ１に対するピンチ操作が検出されと判定された場合、表示制御部１０７ｃは、重畳表示領域Ｒ１に重畳表示されている静止画像ａと静止画像ｂのうち、指定部１０７ａにより指定されている静止画像を拡大又は縮小する、すなわち当該静止画像の空間的な大きさを変化させる制御を行う。例えば、指定部１０７ａにより静止画像ａのみが指定されている場合（図５（ｂ）参照）、表示制御部１０７ｃは、重畳表示領域Ｒ１に対するピンチ操作に応じて、重畳表示領域Ｒ１に重畳表示されている静止画像ａのみ拡大又は縮小する制御を行う。
【００６５】
また、指定部１０７ａにより静止画像ａと静止画像ｂのうちの少なくとも何れか一の画像が指定されている際に、検出部１０７ｂにより、重畳表示領域Ｒ１に対するスワイプ操作が検出されと判定された場合、表示制御部１０７ｃは、重畳表示領域Ｒ１に重畳表示されている静止画像ａと静止画像ｂのうち、指定部１０７ａにより指定されている静止画像をスクロール表示する、すなわち当該静止画像の空間的な位置を変化させる制御を行う。例えば、指定部１０７ａにより静止画像ａのみが指定されている場合（図５（ｂ）参照）、表示制御部１０７ｃは、重畳表示領域Ｒ１に対するスワイプ操作に応じて、重畳表示領域Ｒ１に重畳表示されている静止画像ａのみスクロール表示する制御を行う。
【００６６】
以上のように、本実施形態の端末装置２は、静止画像ａと静止画像ｂとを識別可能に透過させて重畳表示領域Ｒ１に重畳表示する制御を行い、静止画像ａと静止画像ｂのうちの一部の画像を指定し、静止画像ａと静止画像ｂの画像に対するユーザ操作を検出する。また、端末装置２は、静止画像ａと静止画像ｂとを重畳表示した状態を維持しながら、指定された画像を、検出されたユーザ操作に応じて、空間的に変化させる制御を行う。
このため、本実施形態の端末装置２にあっては、静止画像ａと静止画像ｂとを重畳表示した状態を維持しながら、指定された画像を、検出されたユーザ操作に応じて、空間的に変化させる制御を行うので、互いの画像の大きさや位置を調整する場合に、重畳表示を解除する必要が無なくなり、透過させて重畳表示している静止画像ａと静止画像ｂに対する空間的な調整を容易にすることができる。
【００６７】
また、本実施形態の端末装置２は、空間的に変化させる制御として、指定された画像の空間的な大きさ又は空間的な位置を変化させる制御を行うので、静止画像ａと静止画像ｂの空間的な重ね合わせの調整を適切に行うことができる。
【００６８】
また、本実施形態の端末装置２は、静止画像ａと静止画像ｂのうちの何れか一の画像が指定された場合、当該画像を強調、すなわち当該画像の被写体を輪郭強調表示するようにして静止画像ａと静止画像ｂを重畳表示する制御を行うので、重ね合わせの調整を行う対象となる画像を見分け易くすることができ、静止画像ａと静止画像ｂに対する空間的な調整をより容易にすることができる。
【００６９】
なお、本発明は、上記実施形態に限定されることなく、本発明の趣旨を逸脱しない範囲において、種々の改良並びに設計の変更を行っても良い。
例えば、上記実施形態１にあっては、ゴルフスイングのフォームを撮像した動画像同士を比較する場合を一例として説明を行っているが、例えば、スポーツにおけるフォーム以外に、踊りの振り付けを撮像した動画像同士を比較する場合にも適用することができる。また、上記実施形態２にあっては、箸の持ち方を撮像した静止画像同士を比較する場合を一例として説明を行っているが、例えば、ペンの持ち方や、ゴルフクラブの握り方、投手のボールの握り方を撮像した静止画像同士を比較する場合にも適用することができる。
【００７０】
また、上記実施形態１、２にあっては、重畳表示領域Ｒ１に、二つの画像を重畳表示する場合を一例としたが、これに限定されるものではく、三つ以上の画像を重畳表示するようにしてもよい。この場合、実施形態１の場合では、対応する数の個別表示領域Ｒ２ａ…を表示し、実施形態２の場合では、対応する数の画像選択キーＫ１…を表示するようにする。
また、画像数が三である場合は、太枠表示させることができる、或いは選択することができる画像数は、一、二、三の何れでもよく、二の場合の画像の組み合わせは任意である。同様に画像数が四以上である場合にも、太枠表示させることができる、或いは選択することができる画像数及び画像の組み合わせは、任意である。
【００７１】
また、実施形態１の場合にあっては、個別表示領域Ｒ２ａ…を、表示パネル１０４ａの表示領域の上下端に分散して表示するようにしているが、左右端に分散、上端だけ、等、その表示する位置は任意である。
また、実施形態２の場合にあっては、画像選択キーＫ１…を、表示パネル１０４ａの表示領域の右上端に表示するようにしているが、左下端等、その表示する位置は任意である。
【００７２】
また、上記実施形態１にあっては、所定時間（例えば、２秒間）、タッチパネル１０５ａへの無操作状態が継続した場合、何れの動画像も指定されていない状態（通常状態）に遷移するようにしたが、これに限定されるものではない。例えば、かかる場合であっても通常状態に遷移しないようにしてもよい。
【００７３】
また、上記実施形態１にあっては、ユーザ所望の動画像を指定する際のユーザ操作として、当該動画像に対応する個別表示領域Ｒ２ａ，Ｒ２ｂ（ソフトウェアキー）へのタップ操作を例示して説明したが、これに限定されるものではない。例えば、操作入力部１０５に備えられたハードウェアキーに対する所定操作（押下操作等）や、マウス等のポインティングデバイスを用いた所定操作であってもよい。また、上記実施形態２においても、操作入力部１０５に備えられたハードウェアキーに対する所定操作（押下操作等）や、マウス等のポインティングデバイスを用いた所定操作に基づき、ユーザ所望の静止画像が指定されるようにしてもよい。
【００７４】
また、上記実施形態１、２にあっては、重畳表示領域Ｒ１へのピンチ操作やスワイプ操作に応じて、指定部１０７ａにより指定された画像を空間的に変化させる制御を行うようにしたが、重畳表示領域Ｒ１への操作態様はこれらの操作態様に限定されるものではなく、適宜任意に設定可能である。
【００７５】
また、上記実施形態１にあっては、太枠表示がなされた個別表示領域Ｒ２ａ，Ｒ２ｂへのピンチ操作やスワイプ操作に応じて、指定部１０７ａにより指定された画像を時間的に変化させる制御を行うようにしたが、太枠表示がなされた個別表示領域Ｒ２ａ，Ｒ２ｂへの操作態様はこれらの操作態様に限定されるものではなく、適宜任意に設定可能である。
【００７６】
また、上記実施形態１にあっては、検出部１０７ｂにより、太枠表示されている個別表示領域Ｒ２ａ、Ｒ２ｂに対する長押し操作が検出されたと判定された場合、表示制御部１０７ｃは、当該長押し操作の態様に応じて、重畳表示領域Ｒ１に表示されている動画像（当該長押し操作がなされた個別表示領域に対応する動画像）のフレーム画像の透過率を変化させる制御を行うようにしたが、これに限定されるものではない。例えば、表示制御部１０７ｃは、タップ操作の回数に応じて、重畳表示領域Ｒ１に表示されている動画像（当該タップ操作がなされた個別表示領域に対応する動画像）のフレーム画像の透過率を変化させる制御を行うようにしてもよい。
具体的には、例えば、個別表示領域Ｒ２ａのみが太枠表示されている場合（図２（ｂ）参照）、表示制御部１０７ｃは、タップ操作がなされる毎に、重畳表示領域Ｒ１に重畳表示されている動画像Ａのフレーム画像の透過率が１００％となるまで当該透過率を１０％ずつ上げていく一方で、動画像Ｂのフレーム画像の透過率が０％となるまで当該透過率を１０％ずつ下げていく。
【００７７】
また、上記実施形態１、２にあっては、指定部１０７ａにより、何れか一方の画像が指定された場合、重畳表示領域Ｒ１において、当該一方の画像の被写体が輪郭強調表示されるようにしたが、これに限定されるものではない。例えば、指定部１０７ａにより指定された一方の画像の透過率を一時的に下げるようにしてもよい。また、指定部１０７ａにより指定されていない方の画像を一時的にグレースケールの画像に変更するようにしてもよい。
【００７８】
また、上記実施形態１、２にあっては、指定手段、検出手段、表示制御手段としての機能を、中央制御部１０１の制御下にて、指定部、検出部、表示制御部が駆動することにより実現される構成としたが、これに限られるものではなく、中央制御部１０１のＣＰＵによって所定のプログラム等が実行されることにより実現される構成としても良い。
すなわち、プログラムを記憶するプログラムメモリ（図示略）に、指定処理ルーチン、検出処理ルーチン、表示制御処理ルーチンを含むプログラムを記憶しておく。そして、指定処理ルーチンにより中央制御部１０１のＣＰＵを、複数の画像のうちの一部の画像を指定する処理を実行する手段として機能させるようにしても良い。また、検出処理ルーチンにより中央制御部１０１のＣＰＵを、複数の画像に対するユーザ操作を検出する処理を実行する手段として機能させるようにしても良い。また、表示制御処理ルーチンにより中央制御部１０１のＣＰＵを、複数の画像を識別可能に透過させて表示手段に重畳表示する制御を行い、当該複数の画像を重畳表示した状態を維持しながら、指定処理ルーチンにより指定された画像を、検出処理ルーチンにより検出された前記ユーザ操作に応じて、空間的又は時間的に変化させる制御を行う処理を実行する手段として機能させるようにしても良い。
また、指定手段（指定処理ルーチン）と検出手段（検出処理ルーチン）とを、一つの手段（処理ルーチン）としてもよい。
【００７９】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８０】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の画像を識別可能に透過させて表示手段に重畳表示する制御を行う表示制御手段と、
前記複数の画像のうちの一部の画像を指定する指定手段と、
前記複数の画像に対するユーザ操作を検出する検出手段と、
を備え、
前記表示制御手段は、前記複数の画像を重畳表示した状態を維持しながら、前記指定手段により指定された画像を、前記検出手段により検出された前記ユーザ操作に応じて、空間的又は時間的に変化させる制御を行うことを特徴とする表示装置。
＜請求項２＞
前記表示制御手段は、前記空間的に変化させる制御として、前記指定手段により指定された画像の空間的な大きさ又は空間的な位置を変化させる制御を行うことを特徴とする請求項１に記載の表示装置。
＜請求項３＞
前記表示制御手段は、前記複数の画像の各々が動画像である場合に、前記時間的に変化させる制御として、当該動画像のフレームレート又は当該動画像内における時間的な位置を変化させる制御を行うことを特徴とする請求項１又は２に記載の表示装置。
＜請求項４＞
前記表示制御手段は、前記複数の画像を重畳表示する重畳表示領域とは異なる複数の個別表示領域の各々に、当該複数の画像の各々を個別に表示する制御を、更に行い、
前記指定手段は、前記個別表示領域に対するユーザ操作に応じて、前記複数の画像のうちの一部の画像を指定することを特徴とする請求項１〜３の何れか一項に記載の表示装置。
＜請求項５＞
前記表示制御手段は、
前記重畳表示領域に、前記複数の画像として、複数の動画像を識別可能に透過して重畳表示するとともに、
前記複数の個別表示領域の各々に、前記複数の動画像の各々を個別に表示する制御を行い、
前記検出手段により検出された前記重畳表示領域に対するユーザ操作に応じて、前記複数の動画像を重畳表示した状態を維持しながら、前記指定手段により指定された動画像を空間的に変化させる制御を行い、
更に、前記検出手段により検出された前記個別表示領域に対するユーザ操作に応じて、前記複数の動画像を重畳表示した状態を維持しながら、前記指定手段により指定された動画像を時間的に変化させる制御を行うことを特徴とする請求項４に記載の表示装置。
＜請求項６＞
前記表示制御手段は、前記検出手段により検出された前記重畳表示領域に対するユーザ操作であって、前記動画像を空間的に変化させるためのユーザ操作とは異なるユーザ操作に応じて、前記複数の動画像を重畳表示した状態を維持しながら、当該複数の動画像を同時に時間的に変化させる制御を行うことを特徴とする請求項５に記載の表示装置。
＜請求項７＞
前記表示制御手段は、
前記重畳表示領域に、前記複数の動画像の各々を構成する互いのフレーム画像を１フレームずつ重畳表示するとともに、
前記複数の個別表示領域の各々に、前記複数の動画像の各々を構成する互いのフレーム画像を、連続する複数フレームずつ並べて表示する制御を行うことを特徴とする請求項５又は６に記載の表示装置。
＜請求項８＞
前記表示制御手段は、前記個別表示領域に対するユーザ操作であって、前記指定手段により前記複数の画像のうちの一部の画像を指定するためのユーザ操作とは異なるユーザ操作に応じて、前記重畳表示領域に重畳表示されている前記複数の画像の透過率を変化させる制御を行うことを特徴とする請求項４〜７の何れか一項に記載の表示装置。
＜請求項９＞
前記表示制御手段は、前記指定手段により前記複数の画像のうちの一部の画像が指定された場合、当該画像を強調するようにして前記複数の画像を重畳表示する制御を行うことを特徴とする請求項１〜８の何れか一項に記載の表示装置。
＜請求項１０＞
複数の画像を識別可能に透過させて表示手段に重畳表示する制御を行う処理と、
前記複数の画像のうちの一部の画像を指定する処理と、
前記複数の画像に対するユーザ操作を検出する処理と、
を含み、
前記複数の画像を重畳表示する制御を行う処理において、当該複数の画像を重畳表示した状態を維持しながら、指定された画像を、検出された前記ユーザ操作に応じて、空間的又は時間的に変化させる制御を行うことを特徴とする表示制御方法。
＜請求項１１＞
コンピュータに、
複数の画像を識別可能に透過させて表示手段に重畳表示する制御を行う表示制御機能、
前記複数の画像のうちの一部の画像を指定する指定機能、
前記複数の画像に対するユーザ操作を検出する検出機能、
を実現させ、
前記表示制御機能は、前記複数の画像を重畳表示した状態を維持しながら、前記指定機能により指定された画像を、前記検出機能により検出された前記ユーザ操作に応じて、空間的又は時間的に変化させる制御を行うことを特徴とするプログラム。
【符号の説明】
【００８１】
１、２    端末装置
１０１    中央制御部
１０２    メモリ
１０３    記憶部
１０４    表示部
１０４ａ  表示パネル
１０５    操作入力部
１０５ａ  タッチパネル
１０６    通信制御部
１０６ａ  通信アンテナ
１０７    動作処理部
１０７ａ  指定部
１０７ｂ  検出部
１０７ｃ  表示制御部
Ｋ１，Ｋ２，Ｋ３  画像選択キー
Ｒ１      重畳表示領域
Ｒ２ａ，Ｒ２ｂ  個別表示領域
【図１】
2018018004.tif 000003
【図２】
2018018004.tif 000004
【図３】
2018018004.tif 000005
【図４】
2018018004.tif 000006
【図５】
2018018004.tif 000007